(57)【要約】【課題】クランプ力によりディスクハブが変形した状態でも、高い情報読取り・書込み精度を維持できる動圧軸受装置を提供する【解決手段】クランプ力Ｃによるディスク搭載面１０ｄの変形を予め考慮して、ディスクハブ１０に設けられたディスク搭載面１０ｄの少なくとも一部を、ディスク搭載面１０ｄの内径端１０ｄ１よりもディスクＤ側に位置する形状とした。このディスク搭載面１０ｄにクランプ力Ｃを負荷すると、ディスク搭載面１０ｄのうち内径端１０ｄ１よりもディスクＤ側に位置する部分がディスクＤと軸方向反対側に押し込まれ、ディスクＤの平面度が０に近付く方向へ矯正される。【選択図】図５
2007267503.tif 000002
【特許請求の範囲】
【請求項１】
軸部材、および軸部材と一体又は別体に設けられたディスクハブを有する回転部材と、内周に軸部材が挿入された固定部材と、軸部材の外周面と固定部材の内周面との間に形成されたラジアル軸受隙間に生じる流体の動圧作用で回転部材をラジアル方向に相対回転自在に支持するラジアル軸受部とを備え、ディスクハブのディスク搭載面に、所定のクランプ力でディスクが固定される動圧軸受装置において、
ディスク搭載面の少なくとも一部が、クランプ力を負荷しない状態で、ディスク搭載面の内径端よりもディスク側に位置していることを特徴とする動圧軸受装置。
【請求項２】
ディスク搭載面を、クランプ力の負荷で弾性変形させる請求項１記載の動圧軸受装置。
【請求項３】
クランプ力を負荷しない状態で、ディスク搭載面に、外径側ほどディスクに接近する傾斜面を設けた請求項１記載の動圧軸受装置。
【請求項４】
クランプ力負荷後のディスク表面の平面度が５μｍ以下である請求項１記載の動圧軸受装置。
【請求項５】
ディスクハブの端面と固定部材の端面との間にスラスト軸受隙間が形成され、ディスクハブの端面のうち、スラスト軸受面となる領域のクランプ力負荷後の平面度が１０μｍ以下である請求項１記載の動圧軸受装置。
【発明の詳細な説明】
【技術分野】
【０００１】
本発明は、軸受隙間に生じる流体の動圧作用で回転部材を回転自在に支持する動圧軸受装置に関するものである。
【背景技術】
【０００２】
動圧軸受装置は、情報機器、例えばＨＤＤ等の磁気ディスク駆動装置、ＣＤ−ＲＯＭ、ＣＤ−Ｒ／ＲＷ、ＤＶＤ−ＲＯＭ／ＲＡＭ等の光ディスク駆動装置、ＭＤ、ＭＯ等の光磁気ディスク駆動装置等のスピンドルモータ用、レーザビームプリンタ（ＬＢＰ）のポリゴンスキャナモータ、プロジェクタのカラーホイール、あるいは電気機器の冷却ファン等に使用されるファンモータなどの小型モータ用として好適に使用可能である。
【０００３】
例えば、特許文献１に示されている動圧軸受装置は、軸部材と、軸部材に固定されたディスクハブと、内周に軸部材が挿入された軸受スリーブと、内周に軸受スリーブが固定されたハウジングとを備える。ディスクハブにはディスク搭載面が設けられ、そのディスク搭載面に磁気ディスク等のディスク状情報記憶媒体（以下、単にディスクという。）が載置、保持される。軸部材が回転すると、軸部材の外周面と軸受スリーブの内周面との間にラジアル軸受隙間が設けられると共に、ディスクハブの下端面とハウジングの上端面との間にスラスト軸受隙間が形成される。
【０００４】
【特許文献１】特開２００５−３３７３４２号公報
【発明の開示】
【発明が解決しようとする課題】
【０００５】
ところで、このような動圧軸受装置は、最近の情報機器の高精度化に伴い、高い回転精度が要求されており、これを実現するため、動圧軸受装置の各構成部品にも高い寸法精度が求められている。特に、ディスク駆動装置をＨＤＤ用として使用する場合、高いディスク読取り・書込み精度が要求されるため、ディスクハブのうち、特にディスクが載置されるディスク搭載面の平面度を高精度に設定し、回転精度の向上を図っている。
【０００６】
このような動圧軸受装置のディスクハブへのディスクの固定は、例えば、図７に示すように、ディスクハブ１０’のディスク搭載面１０ｄ’に搭載されたディスクＤが、クランパ１３によってディスク搭載面１０ｄ’に所定のクランプ力Ｃで押さえつけられることにより行われる。しかし、このクランプ力Ｃに比べてディスクハブの剛性が不足している場合、クランプ力Ｃによりディスクハブ１０’が変形して、ディスク搭載面１０ｄ’が図示のように傾斜する場合がある。この場合、たとえディスク搭載面１０ｄ’が高精度に加工されていても、ディスク搭載面１０ｄ’の平面度が低下し、この影響がディスクＤに及んで、読取り・書込み精度に悪影響を与えるおそれがある。
【０００７】
また、クランプ力によるディスクハブの変形がディスク搭載面だけでなく、ディスクハブの他の部分、例えばスラスト軸受面に臨む部分に及ぶことも考えられる。この場合、スラスト軸受隙間の隙間幅の精度が低下し、スラスト方向の支持力の低下を招く恐れがある。なお、ここで言うスラスト軸受面とは、スラスト軸受隙間に臨む面のことを言い、この面に動圧発生部が設けられているか否かを問わない（以下同様とする）。
【０００８】
本発明の課題は、クランプ力によりディスクハブが変形した状態でも、高い情報読取り・書込み精度を維持できる動圧軸受装置を提供することである。
【課題を解決するための手段】
【０００９】
前記課題を解決するため、本発明は、軸部材、および軸部材と一体又は別体に設けられたディスクハブを有する回転部材と、内周に軸部材が挿入された固定部材と、軸部材の外周面と固定部材の内周面との間に形成されたラジアル軸受隙間に生じる流体の動圧作用で回転部材をラジアル方向に相対回転自在に支持するラジアル軸受部とを備え、ディスクハブのディスク搭載面に、所定のクランプ力でディスクが固定される動圧軸受装置において、ディスク搭載面の少なくとも一部を、クランプ力を負荷しない状態で、ディスク搭載面の内径端よりもディスク側に位置させたことを特徴とする。
【００１０】
このように、本発明では、ディスク搭載面の少なくとも一部を、クランプ力を負荷しない状態で、ディスク搭載面の内径端よりもディスク側に位置させたので、クランプ力の負荷に伴い、ディスク搭載面のうち内径端よりもディスク側の部分（以下、「ディスク側部分」と呼ぶ）がディスクとは軸方向反対側に押し込まれる。そのため、クランプ力の負荷後は、ディスク表面の姿勢を、その平面度が０に近付く方向へ矯正することができる。この時、クランプ力によるディスク搭載面の変形態様に応じ、ディスク側部分の各所で、予め内径端からの軸方向変位幅（矯正代）を適正値に設定しておけば、クランプ力の負荷後はディスクの表面を規定の平面度（例えば平面度５μｍ以下）に矯正することが可能となり、これによりディスクに対する情報の読取り・書込み精度を当初の設計どおり確保することが可能となる。なお、ここで言う平面度とは、JIS B 0021に規定されるもの、すなわち、対象平面（ここではディスク表面）を含む平行な二平面間の距離の最小値を言う（以下同様）。
【００１１】
ディスク搭載面が、クランプ力の負荷で弾性変形するものであれば、ディスクのクランプ力を一旦解除し、再度クランプする場合にも再度適正な矯正代を与えることができる。従って、クランプ力の解除・負荷が繰り返される場合でも、毎回確実にディスク表面を規定の平面度に抑えることができる。ディスクハブの少なくともディスク搭載面を樹脂で形成すれば、このような弾性変形性を与えることができる。
【００１２】
一般にディスクハブはフランジ状をなし、ディスク搭載面は軸心から離れた外径側に設けられる。この場合、ディスクに軸方向のクランプ力を付与すると、これに伴うディスクハブの変形量は、通常、外径側ほど大きくなる。従って、クランプ力を負荷しない状態で、ディスク搭載面に、外径側ほどディスクに接近する傾斜面を設けておけば、傾斜面の外径側ほど大きな矯正代を確保することができ、矯正効果がより一層高まる。
【００１３】
このような動圧軸受装置においては、ディスクハブの端面と固定部材の端面との間にスラスト軸受隙間を形成することができる。この場合、ディスクハブの端面のうち、スラスト軸受面となる領域のクランプ力負荷後の平面度を１０μｍ以下に設定すると、スラスト軸受隙間が高精度に設定され、安定したスラスト方向の支持力が得られる。
【発明の効果】
【００１４】
以上のように、本発明によれば、クランプ力によりディスクハブが変形した状態でも、ディスク表面を所定の平面度に抑えることが可能となる。従って、動圧軸受装置をディスク駆動装置に組み込んだ場合でも、ディスク表面とヘッドとの間の間隙幅を一定にすることができ、その結果、情報の読取り精度や書込み精度を向上させることができる。
【発明を実施するための最良の形態】
【００１５】
以下、本発明の一実施形態を図１〜図５に基づいて説明する。
【００１６】
図１は、本発明の一実施形態に係る動圧軸受装置１を組み込んだディスク駆動装置の一構成例を概念的に示している。このディスク駆動装置は、例えばＨＤＤ等に用いられるもので、軸部材２およびディスクハブ１０を有する回転部材３をラジアル方向に非接触支持する動圧軸受装置１と、例えば半径方向のギャップを介して対向させたステータコイル４ａおよびロータマグネット４ｂとからなるモータ部４と、ブラケット６と、ディスクＤとを備えている。ステータコイル４ａはブラケット６に取付けられ、ロータマグネット４ｂはヨーク１２を介してディスクハブ１０に固定されている。動圧軸受装置１の固定部材７は、ブラケット６の内周に固定される。ディスクハブ１０にはディスクＤが１又は複数枚（この図示例では１枚）固定される。この実施形態では、ディスクＤは、ディスクハブ１０とクランパ１３とによって挟持固定されている。このように構成されたスピンドルモータにおいて、ステータコイル４ａに通電すると、ステータコイル４ａとロータマグネット４ｂとの間に発生する励磁力でロータマグネット４ｂが回転し、これに伴って、ディスクハブ１０およびディスクハブ１０に固定されたディスクＤが軸部材２と一体に回転する。
【００１７】
図２は、動圧軸受装置１を示している。この動圧軸受装置１は、固定部材７と、固定部材７に対して相対回転する回転部材３とを主に備えている。
【００１８】
固定部材７は、ハウジング部９と、その内周に設けられたスリーブ部８と、ハウジング部９の一端を閉口する蓋部材１１とを備えている。なお、説明の便宜上、軸方向両端に形成されるハウジング部９の開口部のうち、蓋部材１１で閉口される側を下側、閉口側と反対の側を上側として以下説明する。
【００１９】
スリーブ部８は、例えば金属製の非孔質体あるいは焼結金属からなる多孔質体で円筒状に形成される。この実施形態では、スリーブ部８は、銅を主成分とする焼結金属の多孔質体で円筒状に形成され、ハウジング部９の内周面９ｃに、例えば接着（ルーズ接着、圧入接着を含む）、圧入、溶着（例えば超音波溶着）等、適宜の手段で固定される。もちろん、スリーブ部８を樹脂やセラミック等、金属以外の材料で形成することも可能である。
【００２０】
スリーブ部８の内周面８ａの全面又は一部円筒領域には、ラジアル動圧発生部として複数の動圧溝を配列した領域が形成される。この実施形態では、例えば図３に示すように、複数の動圧溝８ａ１、８ａ２をヘリングボーン形状に配列した領域が軸方向に離隔して２箇所形成される。
【００２１】
スリーブ部８の下端面８ｂの全面又は一部環状領域には、スラスト動圧発生部として、例えば図４に示すように、複数の動圧溝８ｂ１をスパイラル状に配列した領域が形成される。
【００２２】
ハウジング部９は、金属あるいは樹脂で略円筒状に形成される。この実施形態では、ハウジング部９は、その軸方向両端を開口した形状をなし、かつ一端側を蓋部材１１で封口している。他端側の端面（上端面）９ａの全面または一部環状領域には、スラスト動圧発生部として、例えば図示は省略するが、複数の動圧溝をスパイラル形状に配列した領域が形成される。ハウジング部９の上方部外周（上端面９ａ側の端部外周）には、上方に向かって漸次拡径する環状のテーパ面９ｂが形成される。
【００２３】
ハウジング部９の下端側を封口する蓋部材１１は、金属あるいは樹脂で形成され、ハウジング部９の下端内周側に設けられた段部９ｄに固定される。ここで、固定手段は特に限定されず、例えば接着（ルーズ接着や圧入接着を含む）、圧入、溶着（例えば超音波溶着
）、溶接（例えばレーザ溶接）などの手段を、材料の組合わせや要求される固定強度、密
封性などに合わせて適宜選択することができる。
【００２４】
回転部材３は、この実施形態では、スリーブ部８の内周に挿入される軸部材２と、軸部材２の上端に設けられ、ハウジング部９の開口側に配置されるディスクハブ１０とを主に備えている。
【００２５】
軸部材２は、この実施形態では金属製で、ディスクハブ１０と別体に形成される。軸部材２の外周面２ａは、軸部材２をスリーブ部８の内周に挿入した状態では、スリーブ部８の内周面８ａに形成された動圧溝８ａ１、８ａ２形成領域と対向する。そして、外周面２ａは、軸部材２の回転時、動圧溝８ａ１、８ａ２形成領域との間に後述する第一、第二ラジアル軸受部Ｒ１、Ｒ２のラジアル軸受隙間をそれぞれ形成する（図２を参照）。
【００２６】
軸部材２の下端には、抜止めとしてフランジ部２ｂが別体に設けられる。フランジ部２ｂは金属製で、例えばねじ結合等の手段により軸部材２に固定される。フランジ部２ｂの上端面２ｂ１は、スリーブ部８の下端面８ｂに形成された動圧溝８ｂ１形成領域と対向し、軸部材２の回転時、動圧溝８ｂ１形成領域との間に後述する第一スラスト軸受部Ｔ１のスラスト軸受隙間を形成する（図２を参照）。
【００２７】
ディスクハブ１０は、ハウジング部９の開口側（上側）を覆う円盤部１０ａと、円盤部１０ａの外周部から軸方向下方に延びる筒状部１０ｂと、筒状部１０ｂから外径側に突出する鍔部１０ｃと、鍔部１０ｃの上端に形成されるディスク搭載面１０ｄとを備える。
【００２８】
円盤部１０ａの下端面１０ａ１に設けられたスラスト軸受面Ａは、ハウジング部９の一端開口側に設けられた上端面９ａ（動圧溝９ａ１形成領域）と対向し、軸部材２の回転時、動圧溝９ａ１形成領域との間に後述する第二スラスト軸受部Ｔ２のスラスト軸受隙間を形成する（図２を参照）。
【００２９】
筒状部１０ｂの内周面１０ｂ１は、ハウジング部９の外周上端に設けられたテーパ面９ｂと対向し、このテーパ面９ｂとの間に径方向寸法が上方に向かって漸次縮小するテーパ状のシール空間Ｓを形成する。後述する潤滑油を動圧軸受装置１内部に充満させた状態では、潤滑油の油面は常時シール空間Ｓの範囲内にある。
【００３０】
上記構成のディスクハブ１０は、例えばＬＣＰ、ＰＰＳ、ＰＥＥＫ等の結晶性樹脂や、ＰＰＳＵ、ＰＥＳ、ＰＥＩ等の非晶性樹脂をベース樹脂とする樹脂組成物で形成される。この実施形態では、軸部材２をインサート部品として射出成形することで、軸部材２を一体に設けたディスクハブ１０が成形される。また、上記ベース樹脂に配合可能な充填材として、例えば炭素繊維やガラス繊維等の繊維状充填材、チタン酸カリウム等のウィスカ状充填材、マイカ等の鱗片状充填材、カーボンブラック、黒鉛、カーボンナノマテリアル、各種金属粉等の導電性充填材を挙げることができる。これら充填材は、ディスクハブ１０の補強や導電性付与など、目的に応じて上記ベース樹脂に適量配合される。
【００３１】
こうして形成されたディスクハブ１０のディスク搭載面１０ｄにディスクＤを搭載し、クランパ１３をねじ１４で軸部材２と締結し、所定のクランプ力を負荷することにより、ディスクＤがディスク搭載面１０ｄに固定される（図１を参照）。このディスクハブ１０に、磁性体からなるヨーク１２、ロータマグネット４ｂを固定することで、ディスク駆動装置のサブアッシー化が完了する。
【００３２】
上記のように、ディスクＤ及びディスク搭載面１０ｄにクランパ１３による所定のクランプ力Ｃが加わることにより、ディスクＤ及びディスク搭載面１０ｄが変形し、ディスクＤ表面の平面度を低下させる恐れがある（図７参照）。このような不具合を回避するために、本発明では、クランプ力Ｃを負荷する前の状態（図５（ａ）参照）で、ディスク搭載面１０ｄを、内径端１０ｄ１よりもディスク側に位置する形状、具体的には、外径側ほどディスクＤ側に接近した傾斜面とした。
【００３３】
クランプ力Ｃ負荷前の状態では、ディスクＤはディスク搭載面１０ｄの外径端１０ｄ２のみで支持されている（図５（ａ）参照）。クランプ力Ｃを負荷すると、ディスク搭載面１０ｄのうちディスク側部分がディスクＤとは軸方向反対側に押し込まれることで弾性変形し、ディスクＤがディスク搭載面１０ｄと面接触した状態で支持される（図５（ｂ）参照）。これにより、ディスク搭載面１０ｄの平面度が０に近付く方向に矯正されるため、ディスクＤの表面（図中上側の端面）の平面度も０に近付く。従って、ディスクＤの表面とヘッドとの間の距離を一定に保持することができ、ディスクＤに対する情報の読取り精度や書込み精度を高めることができる。なお、このディスク搭載面１０ｄの変形は弾性変形であるため、クランプ力Ｃの解除・負荷が繰り返される場合でも、毎回確実にディスクＤ表面を規定の平面度に抑えることができる。
【００３４】
上記のように、クランプ力Ｃによりディスク搭載面１０ｄを変形させ、ディスクＤを高い精度で固定するには、ディスク搭載面１０ｄの矯正代（ディスク搭載面１０ｄの各所における内径端１０ｄ１からの軸方向変位幅）を調整する必要がある。この矯正代の最適値は、クランプ力Ｃの大きさやディスクハブ１０の材質、形状等により異なるが、所定のクランプ力Ｃ負荷後のディスクＤ表面の平面度が５μｍ以下、望ましくは２μｍ以下となるように設定すれば、今後のＨＤＤの高記録密度化にも十分に対応可能となる。この場合、クランプ力負荷後のディスク搭載面１０ｄも同程度の平面度を保持していることが望ましい。
【００３５】
本実施形態では、上記のように、ディスク搭載面１０ｄが外径側ほどディスクＤ側へ近付く傾斜面であることにより、ディスク搭載面１０ｄのうちクランプ力Ｃによる変位量が最も大きい外径端１０ｄ２で、最大矯正代δを設けることができるため、矯正効果をより一層高めることができる。
【００３６】
また、上記ではクランプ力Ｃによりディスクハブ１０のディスク搭載面１０ｄおよび鍔部１０ｃのみが変形する場合を例示したが、ディスクハブ１０のその他の部分が変形することも考えられる。例えば、円盤部１０ａの下端面１０ａ１に形成されたスラスト軸受面Ａが変形すると、スラスト軸受隙間の隙間幅の精度が低下し、十分な動圧作用の効果が得られず、スラスト方向の支持力が低下するおそれがある。このような不具合を回避するために、ディスクハブ１０の端面のうち、スラスト軸受面Ａとなる領域のクランプ力負荷後の平面度は、１０μｍ以下、望ましくは５μｍ以下に設定すると良い。
【００３７】
動圧軸受装置１内部に充満される潤滑油としては、種々のものが使用可能であるが、ＨＤＤ等のディスク駆動装置用の動圧軸受装置に提供される潤滑油には、その使用時あるいは輸送時における温度変化を考慮して、低蒸発率及び低粘度性に優れたエステル系潤滑油、例えばジオクチルセバケート（ＤＯＳ）、ジオクチルアゼレート（ＤＯＺ）等が好適に
使用可能である。
【００３８】
上記構成の動圧軸受装置１において、軸部材２の回転時、スリーブ部８の内周面８ａに形成された動圧溝８ａ１、８ａ２形成領域は、対向する軸部材２の外周面２ａとの間にラジアル軸受隙間を形成する。そして、軸部材２の回転に伴い、上記ラジアル軸受隙間の潤滑油が動圧溝８ａ１、８ａ２の軸方向中心側に押し込まれ、その圧力が上昇する。このように、動圧溝８ａ１、８ａ２によって生じる潤滑油の動圧作用によって、軸部材２をラジアル方向に非接触支持する第一ラジアル軸受部Ｒ１と第二ラジアル軸受部Ｒ２とがそれぞれ構成される。
【００３９】
これと同時に、スリーブ部８の下端面８ｂ（動圧溝８ｂ１形成領域）とこれに対向するフランジ部２ｂの上端面２ｂ１との間のスラスト軸受隙間、およびハウジング部９の上端面９ａに形成される動圧溝形成領域とこれに対向するディスクハブ１０の下端面１０ａ１のスラスト軸受面Ａとの間のスラスト軸受隙間に形成される潤滑油膜の圧力が、動圧溝の動圧作用により高められる。そして、これら油膜の圧力によって、回転部材３（ディスクハブ１０）をスラスト方向に非接触支持する第一スラスト軸受部Ｔ１と第二スラスト軸受部Ｔ２とがそれぞれ構成される。
【００４０】
以上、本発明の一実施形態を説明したが、本発明はこれに限らない。以下、本発明の他の実施形態を示す。なお、以下の説明において、上記実施形態と同様の機能を有する箇所には同一符合を付し、説明を省略する。
【００４１】
例えば、クランプ力を負荷前のディスク搭載面１０ｄの形状は上記に限らず、図６に示すようにディスク搭載面１０ｄに環状の突起１０ｄ３を設けてもよい。このとき、突起１０ｄ３の先端と内径端１０ｄ１との軸方向距離が最大矯正代δとなる。突起１０ｄ３の形状は、その上端部がディスク搭載面１０ｄの内径端１０ｄ１よりもディスク側に位置していればよく、例えば円周方向に離隔した複数の突起を設けても良い。また、この突起１０ｄ２は、図６のようにディスクハブ１０と一体成形する他、別部材で構成することもできる。
【００４２】
この場合、クランプ力負荷前の状態では、ディスクが突起１０ｄ３の先端部のみで支持されている。所定のクランプ力を負荷すると、鍔部１０ｃが変形し、突起部１０ｄ３の他、内径端１０ｄ１を含むディスク搭載面１０ｄの広い範囲がディスクＤの裏面と接触し、ディスクＤの表面が所定の平面度に保持される。
【００４３】
また、上記実施形態では、ディスクハブ１０を樹脂で形成する場合を説明したが、一部あるいは全部を金属等の他の材料で形成することも可能である。
【００４４】
また、上記実施形態では、金属製の軸部材２をインサート部品とする樹脂の射出成形で、軸部材２と一体にディスクハブ１０を射出成形した場合を説明したが、例えばディスクハブ１０のみを形成した後、ディスクハブ１０とは別体に形成した軸部材２の端部をディスクハブ１０中央に設けた孔に圧入することで一体化することもできる。あるいは、軸部材２をディスクハブ１０と同一材料で一体に成形することもできる。
【００４５】
また、上記実施形態では、フランジ部２ｂの上端面２ｂ１とスリーブ部８の下端面８ｂとの間、およびディスクハブ１０とハウジング部９との間にそれぞれスラスト軸受部Ｔ１、Ｔ２を設けた場合を説明したが、本発明は、スラスト軸受部Ｔ１、Ｔ２の形成箇所に関係なく適用可能である。すなわち、ディスクハブ１０の下端面１０ａ１がスラスト軸受隙間を形成するか否かは問題とならず、例えば図示は省略するが、スラスト軸受部Ｔ１、Ｔ２が共にフランジ部２ｂの両端面とこれらの面に対向する面との間に形成されたものであってもよい。
【００４６】
また、ディスクハブ１０や軸部材２を除く動圧軸受装置１の構成部品に関しても、上記実施形態に限定される必要はない。例えば図示は省略するが、ハウジング部９とスリーブ部８とを同一材料で一体に形成（固定部材７を単一品化）する等、各構成部品間の一体化を図ったものについても本発明を適用することができる。
【００４７】
また、以上の実施形態では、ラジアル軸受部Ｒ１、Ｒ２が軸方向に離隔した２箇所に設けられているが、例えばこれらを軸方向で連続的に設けてもよい。あるいは、ラジアル軸受部Ｒ１、Ｒ２の何れか一方のみを設けてもよい。
【００４８】
また、以上の実施形態では、ラジアル軸受部Ｒ１、Ｒ２およびスラスト軸受部Ｔ１、Ｔ２として、へリングボーン形状やスパイラル形状の動圧溝により潤滑油の動圧作用を発生させる構成を例示しているが、本発明はこれに限定されるものではない。
【００４９】
例えば、ラジアル軸受部Ｒ１、Ｒ２として、図示は省略するが、軸方向の溝を円周方向の複数箇所に形成した、いわゆるステップ状の動圧発生部、あるいは、円周方向に複数の円弧面を配列し、対向する軸部材２の真円状外周面２ａとの間に、くさび状の径方向隙間（軸受隙間）を形成した、いわゆる多円弧軸受を採用してもよい。
【００５０】
また、第一スラスト軸受部Ｔ１と第二スラスト軸受部Ｔ２の一方又は双方は、同じく図示は省略するが、動圧発生部が形成される領域（例えばスリーブ部８の下端面８ｂ、ハウジング部９の上端面９ａ）に、複数の半径方向溝形状の動圧溝を円周方向所定間隔に設けた、いわゆるステップ軸受、あるいは波型軸受（ステップ型が波型になったもの）等で構成することもできる。
【００５１】
また、以上の実施形態では、スリーブ部８の側にラジアル動圧発生部（動圧溝８ａ１、８ａ２）が、また、スリーブ部８やハウジング部９の側にスラスト動圧発生部（動圧溝８ｂ１）がそれぞれ形成される場合を説明したが、これら動圧発生部が形成される領域は、例えばこれらに対向する軸部材２の外周面２ａやフランジ部２ｂの上端面２ｂ１、あるいはディスクハブ１０の下端面１０ａ１の側に設けることもできる。
【００５２】
また、上記実施形態では、ディスク搭載面１０ｄに搭載されるディスクＤとして、ＨＤＤ等に使用される磁気ディスクを例示したが、これ以外にも、ＣＤ−ＲＯＭ、ＣＤ−Ｒ／ＲＷ、ＤＶＤ−ＲＯＭ／ＲＡＭ等の光ディスクや、ＭＤ、ＭＯ等の光磁気ディスクなどが適用可能である。
【００５３】
また、以上の説明では、動圧軸受装置１の内部に充満し、ラジアル軸受隙間や、スラスト軸受隙間に動圧作用を生じる流体として、潤滑油を例示したが、それ以外にも各軸受隙間に動圧作用を発生可能な流体、例えば空気等の気体や、磁性流体等の流動性を有する潤滑剤、あるいは潤滑グリース等を使用することもできる。
【図面の簡単な説明】
【００５４】
【図１】本発明の一実施形態に係る動圧軸受装置１を組み込んだディスク駆動装置の断面図である。
【図２】動圧軸受装置１の断面図である。
【図３】スリーブ部８の縦断面図である。
【図４】スリーブ部８の下端面面である。
【図５】（ａ）クランプ力負荷前のディスクハブ搭載面１０ｄ周辺の断面図である。（ｂ）クランプ力負荷後のディスク搭載面１０ｄ周辺の断面図である。
【図６】ディスクハブ１０の他の実施形態を示す断面図である。
【図７】従来のディスクハブを示す断面図である。
【符号の説明】
【００５５】
１     動圧軸受装置
２     軸部材
３     回転部材
７     固定部材
８     スリーブ部
９     ハウジング部
１０   ディスクハブ
１０ａ 円盤部
１０ｂ 筒状部
１０ｃ 鍔部
１０ｄ ディスク搭載面
１０ｄ１      内径端
１３   クランパ
Ｃ     クランプ力
Ｄ     ディスク
Ｒ１、Ｒ２    ラジアル軸受部
Ｔ１、Ｔ２    スラスト軸受部
Ａ     スラスト軸受面
Ｓ     シール空間
δ     最大矯正代
【図１】
2007267503.tif 000003
【図２】
2007267503.tif 000004
【図３】
2007267503.tif 000005
【図４】
2007267503.tif 000006
【図５】
2007267503.tif 000007
【図６】
2007267503.tif 000008
【図７】
2007267503.tif 000009